(57)【要約】      （修正有）【課題】携帯電話ケースの上腕装着の安定を図り、すばやい送受信を可能にし消音時でも受信を体感出来るようにし、更に男用女用は問わず仕事上でも活用できる形状で単品製品としても十分に活路を開けるようにすることと、ポーチ用としても使えるようにし、従来のポーチベルトのイメージを払拭し新たに変化に富むベルトを提供する。【解決手段】上腕用ベルトの１部にストレッチベルト２を用いて装着を安定させ、多様な腕サイズにも対応できるようにした。更にデザインをシンプルにして単品としても活用出来るようにした。それらの多種機能は全て携帯電話ケース裏面に集結させた。そして、ポーチ用ベルトに肩パッド部と装飾部を取り入れることにより、ポーチ式携帯電話ケースの安定と美しさと個性をめざした。【選択図】図１
0003119966.tif 000002
【実用新案登録請求の範囲】
【請求項１】
上腕装着用携帯電話ケースにおいて、ベルトの１部にストレッチベルトを取付け、更にポーチ式装着用接続部品を取付けて両用可能とし、またはベルトあるいは接続部品のどちらか一つを取付けることでそれぞれ単品としても成立する携帯電話ケースの裏面構成仕様
【請求項２】
請求項１記載のポーチ式装着において前ベルト部、アクセサリー部、肩パッド部、後ろベルト部等の組み合わせで成立する携帯電話ケースポーチベルト仕様
【考案の詳細な説明】
【技術分野】
【０００１】本考案は携帯電話を保護し、すばやく送受信できる収納場所を確保するための携帯電話ケースに属する。
【背景技術】
【０００２】本考案の属する技術分野には、実用新案登録第３０９８２６６号「上腕とペンダント式とポケット式で装着する携帯電話ケース」がある。また請求項２のポーチ型バッグのベルトに関する従来の技術は、タスキがけのような直線型がほとんどである。
【考案の開示】
【考案が解決しようとする課題】
【０００３】実用新案登録第３０９８２６６号においては携帯電話の収納場所確保と装飾性を図る考案であるが、ピンやクリップなどの使用で安定性が完全でなかったこと、女性用に限られることに課題が残った。そこで、本考案は１，もっと簡単にすばやく携帯電話を取り出せて着脱状態を安定させること。２，女性用だけでなく男性用にも仕事用にもなる一般向けの形態であること。３、セットだけでなく単品としても用を為すこと。４，ポーチ用ベルトの課題は軽量の携帯電話とケースを安定させ、従来のタスキのイメージを取り除き美しくあるいは遊び心のある形状にすること。以上４つの課題を解決しようとするものである。
【課題を解決するための手段】
【０００４】上記の課題を解決するために１，ケースに装飾を施さず形をシンプルにした。２，上腕用ベルトは、多様な腕サイズに対応出来るよう幅を持たせ腕に固定させるため１部分にストレッチベルトを使用し、ポーチとして使う時のため本体に上腕用ベルト収納カバーを設けベルトを収納させた。３，利用目的により、ケース本体の裏面の仕様のポーチ接続部品または上腕用ベルトのどちらかを取り除くことによって上腕専用、またはポーチ専用の独立した携帯電話ケースとなった。４，ポーチ用ベルトの仕様は携帯電話ケースと同じ素材で肩パッドを付け、首から胸にあたる範囲にアクセサリー部を設けて前後のベルトをつないで１体化することにより、携帯電話ケースポーチ式装着時の安定と従来のイメージ脱却を実現しようとする。
【考案の効果】
【０００５】１，呼び出し音１〜２回ですばやく受信でき、送信も手早く出来るようになった。
２，携帯電話が消音状態でも着信が体感出来るようになった。
３，シンプルな形にして、ストレッチベルトを用いたことで、上腕で安定し男女両用となり携帯電話を常時使う仕事にも活用出来るようになった。
４，上腕用単品でも十分に活用でき会社名を入れたりして企業の宣伝手段も可能性として生まれた。、
５，ポーチ用単品でも安定させて携帯電話を持ち歩け、美しくあるいは楽しい機能性に富むベルトが付いた携帯電話ケースとなった。
【考案を実施するための最良の形態】
【０００６】以下、本考案の実施の形態を図１〜図４に基づいて説明する。素材はキルト地や皮革、合成皮革等を用いる。図１は携帯電話ケース裏面仕様でここに上腕用ベルトとポーチ用ベルト接続部品、収納カバー、ケースフタ等の機能を集結させる。図２は携帯電話ケース表面仕様の正面図で、ケースカバーの上縁には芯を入れて携帯電話の出し入れ口を補強する。図４の通り裏地と芯と表地とケースカバーの４枚のふちを伸縮性のあるバイヤステープで合わせる。図３はポーチベルト仕様の正面図である。図３ーＡは前ベルト、図３−Ｂはアクセサリー、図３−Ｃは肩パッド、図３−Ｄは後ろベルトである。これら４部をベルト地や接続部品でつなぎ、ベルトの先に携帯電話ケースとの接続部品を付ける。チェーンベルトを用いる場合はそれだけでも装飾となるので携帯電話ケースと同素材の肩パッドだけで統一する。
【実施例】
【０００７】黒のナイロンキルト地で１０×７ｃｍのサイズを３枚作り２枚は表地と裏地で縦長に使い４角を丸く切り取る。１枚は携帯電話収納カバー用で横長に使う。図１に従って裏面を作成する。裏面中心の左に１５〜１８ｃｍのストレッチベルトを、右に７ｃｍのパイレンベルトを付ける。マジックテープはかぶせる方をストレッチベルト側に６ｃｍ、受ける方をパイレンベルト側に３ｃｍ付ける。次にマジックテープを付けたケースフタ１５ｃｍを付け、更に左右にポーチ用接続部品をつける。それらの縫合部を隠すカバーを付け最後にベルト収納用のカバーを付ける。次に携帯電話ケースカバー地を横長にして底辺の左右の角を斜めに２ｃｍ縫込んでふくらみをつける。フタの開閉用のマジックテープを付け、上の縁を１ｃｍの芯と共にバイヤステープでくるむ。図４の１，８，９，１１の４枚のふちを伸縮性のあるバイヤステープでくるんで仕上げる。次に図３のポーチ用ベルトを黒の合皮（共布のキルト地でもよい）幅１ｃｍで作成する。前ベルトは両端の接続部を入れて２２ｃｍ、後ろベルトは同じく６４ｃｍ、肩パッドは携帯電話ケースの同素材で５×１５ｃｍを縦長の菱形にカットし、バイヤステープでふちどりして、片方を後ろベルトとつなぐ。アクセサリー部は同じベルト地を１４ｃｍとり接続用に両端２ｃｍずつ折り曲げる。残り１０ｃｍの間にダイヤ形状ビーズをつなぎ接合した。その両端にシルバーの直径２ｃｍのステンレスリングを付けそれぞれ肩パッドと前ベルトをつないで１本にした。両端に携帯電話ケースとの接続部品を付けた。ベルト部分のつなぎはいずれもシルバーのマルカンを使用した。【０００８】素材はピンクの皮革で上記の作業を行う。裏地やバイヤステープ等は黒に統一し、フタはピンクの皮革をバイヤステープでふちどる。ベルトはシルバーのチェーンベルトを使用し、アクセサリー部は設けず、肩パッドはケースと同じ素材を黒のバイヤステープでふちどる。【０００９】その他、ベルトのアクセサリー部に花や動物を使うと暖かく楽しい雰囲気のポーチ用ベルトになった。
【産業上の利用可能性】
【図面の簡単な説明】
【００１０】
【図１】携帯電話ケース裏面の仕様を示した正面図である。
【図２】携帯電話ケース表面の仕様を示した正面図である。
【図３】ポーチ用ベルトの仕様を示した正面図である。
【図４】携帯電話ケースの構成内容を示した側面図である。
【符号の説明】
【００１１】  １，  携帯電話ケース裏地
２，  上腕用ストレッチベルト
３，  上腕用パイレンベルト
４，  ケース用フタ
５ａ，５ｂ，  ポーチベルト接続部品
６、  縫い目隠しカバー
７，  上腕用ベルト収納カバー
８，  携帯電話ケース表地
９，  携帯電話ケースカバー
１０，  バイヤステープ
１１，  携帯電話ケース芯
１２，  接続部品
１３，  ステンレスリング
Ａ、  前ベルト
Ｂ、  アクセサリー
Ｃ、  肩パッド
Ｄ、  後ろベルト
【図１】
0003119966.tif 000003
【図２】
0003119966.tif 000004
【図３】
0003119966.tif 000005
【図４】
0003119966.tif 000006
【手続補正書】
【提出日】平成17年11月18日(2005.11.18)
【手続補正１】
【補正対象書類名】実用新案登録請求の範囲
【補正対象項目名】全文
【補正方法】変更
【補正の内容】
【実用新案登録請求の範囲】
【請求項１】
携帯電話ケースにおいて、ケースの裏面に上腕装着用にストレッチベルトを取付け更にポーチ装着用ベルト接続部品を取付けて上腕装着とポーチ装着の両用とし、又はケースの裏面に上腕装着用ベルトかポーチ装着用ベルト接続部品のどちらか一つだけを取付けることでそれぞれ単品としても成立する携帯電話ケース
【請求項２】
請求項１記載の携帯電話ケースのポーチ装着用ベルトは前ベルト部、アクセサリー部、肩パッド部、後ろベルト部の組み合わせで成立する携帯電話ケース